(57)【要約】【課題】読み取り困難性と高精度な読み取りの双方を実現する情報の記録処理構成を提供する。【解決手段】暗号鍵などの秘匿性の高い付加情報をグルーブ信号中に記録する。付加情報の記録に際してビット値に応じた振幅オフセットを設定したグルーブ信号を記録し、付加情報の読み取り時には、所定区間のグルーブ信号の読み取り信号Ｒ１からオフセットなし信号Ｒ０を推定し、差分信号Ｃ＝Ｒ１−Ｒ０を算出して差分信号を所定区間ごとに積分して、各区間内のグルーブ信号の振幅オフセット方向を判別する。このような処理により読み取り困難性を高めるとともに、精度の高い読み取りを実現する付加情報の記録再生を実現した。【選択図】図３
2011060348.tif 000002
【特許請求の範囲】
【請求項１】
付加情報を記録するグルーブ信号を生成する記録信号生成部と、
前記記録信号生成部の生成した記録信号をマスタディスクに記録する記録部を有し、
前記記録信号生成部は、
前記付加情報を構成する各ビット値に応じた振幅オフセット設定態様を決定し、
前記記録信号の所定区間単位で前記付加情報を構成する各ビット値に応じた振幅オフセットを設定した記録信号を生成する記録媒体製造装置。
【請求項２】
前記記録信号生成部は、
前記付加情報のビット値が０の場合と１の場合に応じて、前記グルーブ信号に設定する振幅オフセットの方向、または方向の組み合わせを異なる態様に設定した記録信号を生成する請求項１に記載の記録媒体製造装置。
【請求項３】
前記振幅オフセットの方向は、ディスクの内周方向または外周方向のいずれかである請求項２に記載の記録媒体製造装置。
【請求項４】
前記付加情報は、前記ディスクに記録されるコンテンツの暗号化処理または復号処理に適用する暗号鍵を含む情報である請求項１〜３いずれかに記載の記録媒体製造装置。
【請求項５】
ディスクに記録されたグルーブ信号を読み取る再生部と、
前記再生部の再生信号の解析を行う信号解析部を有し、
前記信号解析部は、
前記グルーブ信号に含まれる振幅オフセット方向を、所定信号区間単位で判別して判別結果に基づいて前記グルーブ信号に含まれる付加情報の構成ビット値の判定を行う構成である情報再生装置。
【請求項６】
前記信号解析部は、
グルーブ信号の読み取り再生信号Ｒ１からオフセットなしのオリジナル信号Ｒ０を推定し、再生信号Ｒ１と推定オリジナル信号Ｒ０との差分信号Ｃ＝Ｒ１−Ｒ０を前記所定信号区間単位で積分して、積分結果と予め設定した閾値との比較により、前記所定信号区間における振幅オフセットの設定方向を判別する処理を行なう請求項５に記載の情報再生装置。
【請求項７】
前記情報再生装置は、さらに、
前記信号解析部の解析した付加情報に含まれる暗号鍵を適用して、前記ディスクに記録された暗号化コンテンツの復号処理を行う復号処理部を有する請求項５または６いずれかに記載の情報再生装置。
【請求項８】
ディスクに記録されたグルーブ信号を読み取る再生部と、
前記再生部においてディスクから読み取られたグルーブ信号に含まれる振幅オフセット方向を所定信号区間単位で判別し、判別結果に基づくビット値判定処理により前記グルーブ信号に含まれる暗号鍵を解析する信号解析部と、
前記信号解析部の解析した暗号鍵を適用してコンテンツの暗号化処理を実行する暗号処理部と、
前記暗号処理部の生成した暗号化コンテンツを前記ディスクに記録する記録部を有する情報記録装置。
【請求項９】
前記信号解析部は、
グルーブ信号の読み取り再生信号Ｒ１からオフセットなしのオリジナル信号Ｒ０を推定し、再生信号Ｒ１と推定オリジナル信号Ｒ０との差分信号Ｃ＝Ｒ１−Ｒ０を前記所定信号区間単位で積分して、積分結果と予め設定した閾値との比較により、前記所定信号区間における振幅オフセットの設定方向を判別する処理を行なう請求項８に記載の情報記録装置。
【請求項１０】
付加情報を記録するために利用されるグルーブ信号を記録した情報記録媒体であり、
前記グルーブ信号は、所定信号区間単位で付加情報の構成ビット値に応じた異なる態様の振幅オフセットが設定された信号として記録され、
再生装置において前記振幅オフセットの設定態様の検出に基づいて前記付加情報を読み取ることを可能とした情報記録媒体。
【請求項１１】
前記グルーブ信号は、前記付加情報のビット値が０の場合と１の場合に応じて、前記グルーブ信号に設定する振幅オフセットの方向または方向の組み合わせを異なる態様に設定した信号である請求項１０に記載の情報記録媒体。
【請求項１２】
前記付加情報は、前記ディスクに記録されるコンテンツの暗号化処理または復号処理に適用する暗号鍵を含む情報である請求項１０または１１いずれかに記載の情報記録媒体。
【請求項１３】
記録媒体製造装置において実行する情報記録媒体製造方法であり、
記録信号生成部が、付加情報を記録するグルーブ信号を生成する記録信号生成ステップと、
記録部が、前記記録信号生成ステップにおいて生成した記録信号をマスタディスクに記録する記録ステップを有し、
前記記録信号生成ステップは、
前記付加情報を構成する各ビット値に応じた振幅オフセット設定態様を決定し、
前記記録信号の所定区間単位で、前記付加情報を構成する各ビット値に応じた振幅オフセットを設定した記録信号を生成するステップを有する情報記録媒体製造方法。
【請求項１４】
情報再生装置において実行する情報再生方法であり、
再生部が、ディスクに記録されたグルーブ信号を読み取る再生ステップと、
信号解析部が、前記再生ステップにおける再生信号の解析を行う信号解析ステップを有し、
前記信号解析ステップは、
前記グルーブ信号に含まれる振幅オフセット方向を、所定信号区間単位で判別して判別結果に基づいて、前記グルーブ信号に含まれる付加情報の構成ビット値の判定を行うステップを有する情報再生方法。
【請求項１５】
情報記録装置において実行する情報記録方法であり、
再生部が、ディスクに記録されたグルーブ信号を読み取る再生ステップと、
信号解析部が、前記再生ステップにおいてディスクから読み取られたグルーブ信号に含まれる振幅オフセット方向を所定信号区間単位で判別し、判別結果に基づくビット値判定処理により前記グルーブ信号に含まれる暗号鍵構成ビット情報を解析する信号解析ステップと、
暗号処理部が、前記信号解析ステップにおいて解析した暗号鍵を適用してコンテンツの暗号化処理を実行する暗号処理ステップと、
記録部が、前記暗号処理ステップにおいて生成した暗号化コンテンツを前記ディスクに記録する記録ステップを有する情報記録方法。
【請求項１６】
情報再生装置において情報再生処理を実行させるプログラムであり、
再生部に、ディスクに記録されたグルーブ信号を読み取らせる再生ステップと、
信号解析部に、前記再生ステップにおける再生信号の解析を行わせる信号解析ステップを有し、
前記信号解析ステップは、
前記グルーブ信号に含まれる振幅オフセット方向を、所定信号区間単位で判別して判別結果に基づいて、前記グルーブ信号に含まれる付加情報の構成ビット値の判定を行わせるステップを有するプログラム。
【請求項１７】
情報記録装置において情報記録処理を実行させるプログラムであり、
再生部に、ディスクに記録されたグルーブ信号を読み取らせる再生ステップと、
信号解析部に、前記再生ステップにおいてディスクから読み取られたグルーブ信号に含まれる振幅オフセット方向を所定信号区間単位で判別させ、判別結果に基づくビット値判定処理により前記グルーブ信号に重畳記録された暗号鍵構成ビット情報を解析させる信号解析ステップと、
暗号処理部に、前記信号解析ステップにおいて解析した暗号鍵を適用してコンテンツの暗号化処理を実行させる暗号処理ステップと、
記録部に、前記暗号処理ステップにおいて生成した暗号化コンテンツを前記ディスクに記録させる記録ステップを有するプログラム。
【発明の詳細な説明】
【技術分野】
【０００１】
本発明は、情報記録装置、情報再生装置、記録媒体製造装置、情報記録媒体、および方法、並びにプログラムに関する。さらに詳細には、ディスク（情報記録媒体）の記録条件等の付加情報として記録されるグルーブ信号にコンテンツ鍵などの付加情報を重畳して記録または再生する情報記録装置、情報再生装置、記録媒体製造装置、情報記録媒体、および方法、並びにプログラムに関する。
【背景技術】
【０００２】
光ディスクにおいて、蛇行すなわちウォブル（ｗｏｂｂｌｅ）させたグルーブ（溝）をデータ記録トラックに対するアドレス情報および記録条件等の付加情報として利用することが知られている。例えばこのウォブリンググルーブを利用してピックアップを所望のトラック位置に設定してトラックに対するデータ記録やトラックからのデータ再生が行われる。
【０００３】
一方、昨今、光ディスクに記録されたコンテンツの違法コピーが問題となっており、コンテンツの保護を目的とする堅牢なコンテンツ保護システム（ＣＰＳ：Ｃｏｎｔｅｎｔｓ  Ｐｒｏｔｅｃｔｉｏｎ  Ｓｙｓｔｅｍ）が求められている。
【０００４】
コンテンツ保護システム（ＣＰＳ）の１つとして、ディスクに格納するコンテンツを暗号化する手法がある。暗号化コンテンツの復号に適用する鍵情報や、その他のコンテンツ利用制御情報などを前述のグルーブにアドレス情報に重畳して記録する構成が提案されている。例えば特許文献１（特開２００４−２１３７８１号公報）は鍵情報をグルーブに記録して利用する構成を開示している。
【０００５】
しかし、暗号化コンテンツの復号に適用する鍵情報や、その他のコンテンツ利用制御情報などの多くは秘密情報であり、漏洩防止のため容易な読み取りを防ぐ必要がある。一方、ディスクに鍵データが記録されている場合、正当なコンテンツ利用権を持つユーザの再生装置は鍵構成ビットを正確に読み取ることが必要となる。読み取り精度が低下すると、正確な鍵情報を取得できずコンテンツの復号が行えなくなるからである。
【０００６】
例えばコンテンツの復号に適用する鍵情報を前述のグルーブに記録する場合、容易な読み取りを回避するとともに、正確な読み取りも実現するという相反する要求を満たすことが必要となる。
【０００７】
コンテンツ保護システム（ＣＰＳ）の適用データである鍵情報などのＣＰＳデータをディスクに記録して利用する構成に求められる要件には例えば以下の要件がある。
１．ＣＰＳデータの再生信号の信頼性が高いこと。
２．ＣＰＳデータの他メディアへのコピーが困難であること。
３．ＣＰＳデータ格納媒体や、記録再生ドライブの製造コストが大幅に高くならないこと。
例えば、このような要件がある。
【０００８】
前述した特許文献１（特開２００４−２１３７８１号公報）は鍵情報をグルーブに記録して利用する構成を開示している。この従来技術も、上記の要件を満たすような工夫が施されている。しかしながら、一方では、秘密情報の解読技術も進んでおり、さらなる高度な秘匿性を持つ記録構成が求められている。
【先行技術文献】
【特許文献】
【０００９】
【特許文献１】特開２００４−２１３７８１号公報
【発明の概要】
【発明が解決しようとする課題】
【００１０】
本発明は、例えば上記問題点に鑑みてなされたものであり、グルーブ信号にディスクに記録されるコンテンツ用の暗号鍵などの付加情報を記録または再生する構成において、グルーブ信号からの付加情報の解読困難性を高め、かつ正確なデータ読み取りも可能とする情報記録装置、情報再生装置、記録媒体製造装置、情報記録媒体、および方法、並びにプログラムを提供することを目的とする。
【課題を解決するための手段】
【００１１】
本発明の第１の側面は、
付加情報を記録するグルーブ信号を生成する記録信号生成部と、
前記記録信号生成部の生成した記録信号をマスタディスクに記録する記録部を有し、
前記記録信号生成部は、
前記付加情報を構成する各ビット値に応じた振幅オフセット設定態様を決定し、
前記記録信号の所定区間単位で前記付加情報を構成する各ビット値に応じた振幅オフセットを設定した記録信号を生成する記録媒体製造装置にある。
【００１２】
さらに、本発明の記録媒体製造装置の一実施態様において、前記記録信号生成部は、前記付加情報のビット値が０の場合と１の場合に応じて、前記グルーブ信号に設定する振幅オフセットの方向、または方向の組み合わせを異なる態様に設定した記録信号を生成する。
【００１３】
さらに、本発明の記録媒体製造装置の一実施態様において、前記振幅オフセットの方向は、ディスクの内周方向または外周方向のいずれかである。
【００１４】
さらに、本発明の記録媒体製造装置の一実施態様において、前記付加情報は、前記ディスクに記録されるコンテンツの暗号化処理または復号処理に適用する暗号鍵を含む情報である。
【００１５】
さらに、本発明の第２の側面は、
ディスクに記録されたグルーブ信号を読み取る再生部と、
前記再生部の再生信号の解析を行う信号解析部を有し、
前記信号解析部は、
前記グルーブ信号に含まれる振幅オフセット方向を、所定信号区間単位で判別して判別結果に基づいて前記グルーブ信号に含まれる付加情報の構成ビット値の判定を行う構成である情報再生装置にある。
【００１６】
さらに、本発明の情報再生装置の一実施態様において、前記信号解析部は、グルーブ信号の読み取り再生信号Ｒ１からオフセットなしのオリジナル信号Ｒ０を推定し、再生信号Ｒ１と推定オリジナル信号Ｒ０との差分信号Ｃ＝Ｒ１−Ｒ０を前記所定信号区間単位で積分して、積分結果と予め設定した閾値との比較により、前記所定信号区間における振幅オフセットの設定方向を判別する処理を行なう。
【００１７】
さらに、本発明の情報再生装置の一実施態様において、前記情報再生装置は、さらに、前記信号解析部の解析した付加情報に含まれる暗号鍵を適用して、前記ディスクに記録された暗号化コンテンツの復号処理を行う復号処理部を有する。
【００１８】
さらに、本発明の第３の側面は、
ディスクに記録されたグルーブ信号を読み取る再生部と、
前記再生部においてディスクから読み取られたグルーブ信号に含まれる振幅オフセット方向を所定信号区間単位で判別し、判別結果に基づくビット値判定処理により前記グルーブ信号に含まれる暗号鍵を解析する信号解析部と、
前記信号解析部の解析した暗号鍵を適用してコンテンツの暗号化処理を実行する暗号処理部と、
前記暗号処理部の生成した暗号化コンテンツを前記ディスクに記録する記録部を有する情報記録装置にある。
【００１９】
さらに、本発明の情報記録装置の一実施態様において、前記信号解析部は、グルーブ信号の読み取り再生信号Ｒ１からオフセットなしのオリジナル信号Ｒ０を推定し、再生信号Ｒ１と推定オリジナル信号Ｒ０との差分信号Ｃ＝Ｒ１−Ｒ０を前記所定信号区間単位で積分して、積分結果と予め設定した閾値との比較により、前記所定信号区間における振幅オフセットの設定方向を判別する処理を行なう。
【００２０】
さらに、本発明の第４の側面は、
付加情報を記録するために利用されるグルーブ信号を記録した情報記録媒体であり、
前記グルーブ信号は、所定信号区間単位で付加情報の構成ビット値に応じた異なる態様の振幅オフセットが設定された信号として記録され、
再生装置において前記振幅オフセットの設定態様の検出に基づいて前記付加情報を読み取ることを可能とした情報記録媒体にある。
【００２１】
さらに、本発明の情報記録媒体の一実施態様において、前記グルーブ信号は、前記付加情報のビット値が０の場合と１の場合に応じて、前記グルーブ信号に設定する振幅オフセットの方向または方向の組み合わせを異なる態様に設定した信号である。
【００２２】
さらに、本発明の情報記録媒体の一実施態様において、前記付加情報は、前記ディスクに記録されるコンテンツの暗号化処理または復号処理に適用する暗号鍵を含む情報である。
【００２３】
さらに、本発明の第５の側面は、
記録媒体製造装置において実行する情報記録媒体製造方法であり、
記録信号生成部が、付加情報を記録するグルーブ信号を生成する記録信号生成ステップと、
記録部が、前記記録信号生成ステップにおいて生成した記録信号をマスタディスクに記録する記録ステップを有し、
前記記録信号生成ステップは、
前記付加情報を構成する各ビット値に応じた振幅オフセット設定態様を決定し、
前記記録信号の所定区間単位で、前記付加情報を構成する各ビット値に応じた振幅オフセットを設定した記録信号を生成するステップを有する情報記録媒体製造方法にある。
【００２４】
さらに、本発明の第６の側面は、
情報再生装置において実行する情報再生方法であり、
再生部が、ディスクに記録されたグルーブ信号を読み取る再生ステップと、
信号解析部が、前記再生ステップにおける再生信号の解析を行う信号解析ステップを有し、
前記信号解析ステップは、
前記グルーブ信号に含まれる振幅オフセット方向を、所定信号区間単位で判別して判別結果に基づいて、前記グルーブ信号に含まれる付加情報の構成ビット値の判定を行うステップを有する情報再生方法にある。
【００２５】
さらに、本発明の第７の側面は、
情報記録装置において実行する情報記録方法であり、
再生部が、ディスクに記録されたグルーブ信号を読み取る再生ステップと、
信号解析部が、前記再生ステップにおいてディスクから読み取られたグルーブ信号に含まれる振幅オフセット方向を所定信号区間単位で判別し、判別結果に基づくビット値判定処理により前記グルーブ信号に含まれる暗号鍵構成ビット情報を解析する信号解析ステップと、
暗号処理部が、前記信号解析ステップにおいて解析した暗号鍵を適用してコンテンツの暗号化処理を実行する暗号処理ステップと、
記録部が、前記暗号処理ステップにおいて生成した暗号化コンテンツを前記ディスクに記録する記録ステップを有する情報記録方法にある。
【００２６】
さらに、本発明の第８の側面は、
情報再生装置において情報再生処理を実行させるプログラムであり、
再生部に、ディスクに記録されたグルーブ信号を読み取らせる再生ステップと、
信号解析部に、前記再生ステップにおける再生信号の解析を行わせる信号解析ステップを有し、
前記信号解析ステップは、
前記グルーブ信号に含まれる振幅オフセット方向を、所定信号区間単位で判別して判別結果に基づいて、前記グルーブ信号に含まれる付加情報の構成ビット値の判定を行わせるステップを有するプログラムにある。
【００２７】
さらに、本発明の第９の側面は、
情報記録装置において情報記録処理を実行させるプログラムであり、
再生部に、ディスクに記録されたグルーブ信号を読み取らせる再生ステップと、
信号解析部に、前記再生ステップにおいてディスクから読み取られたグルーブ信号に含まれる振幅オフセット方向を所定信号区間単位で判別させ、判別結果に基づくビット値判定処理により前記グルーブ信号に重畳記録された暗号鍵構成ビット情報を解析させる信号解析ステップと、
暗号処理部に、前記信号解析ステップにおいて解析した暗号鍵を適用してコンテンツの暗号化処理を実行させる暗号処理ステップと、
記録部に、前記暗号処理ステップにおいて生成した暗号化コンテンツを前記ディスクに記録させる記録ステップを有するプログラムにある。
【００２８】
なお、本発明のプログラムは、例えば、様々なプログラム・コードを実行可能な画像処理装置やコンピュータ・システムに対して、コンピュータ可読な形式で提供する記憶媒体、通信媒体によって提供可能なプログラムである。このようなプログラムをコンピュータ可読な形式で提供することにより、画像処理装置やコンピュータ・システム上でプログラムに応じた処理が実現される。
【００２９】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００３０】
本発明の一実施例によれば、読み取り困難性と高精度な読み取りの双方を実現する情報の記録処理構成が実現される。例えば暗号鍵などの秘匿性の高い付加情報をグルーブ信号中に記録する。付加情報の記録に際してビット値に応じた振幅オフセットを設定したグルーブ信号を記録し、付加情報の読み取り時には、所定区間のグルーブ信号の読み取り信号Ｒ１からオフセットなし信号Ｒ０を推定し、差分信号Ｃ＝Ｒ１−Ｒ０を算出して差分信号を所定区間ごとに積分して、各区間内のグルーブ信号の振幅オフセット方向を判別する。このような処理により読み取り困難性を高めるとともに、精度の高い読み取りを実現する付加情報の記録再生を実現した。
【図面の簡単な説明】
【００３１】
【図１】本発明の一実施例に係る記録媒体製造装置の構成例について説明する図である。
【図２】本発明の一実施例に係る記録媒体製造装置の記録信号生成部の構成例について説明する図である。
【図３】本発明の一実施例に係る振幅オフセット設定グルーブ信号の例について説明する図である。
【図４】本発明の一実施例に係る振幅オフセット設定グルーブ信号の記録処理と再生処理例について説明する図である。
【図５】本発明の一実施例に係る情報再生装置の構成例について説明する図である。
【図６】本発明の一実施例に係る情報再生装置の信号解析部の詳細構成例について説明する図である。
【図７】本発明の一実施例に係る情報再生装置の実行するグルーブ信号に対する信号解析処理による付加情報の取得処理例について説明する図である。
【図８】本発明の一実施例に係る情報再生装置の実行する再生グルーブ信号からオフセットなしオリジナル信号を推定するシーケンスについて説明するフローチャートを示す図である。
【図９】本発明の一実施例に係る情報再生装置の実行する再生グルーブ信号からオフセットなしオリジナル信号を推定する具体例について説明する図である。
【図１０】本発明の一実施例に係る情報再生装置の実行する再生グルーブ信号からオフセットなしオリジナル信号を推定する具体例について説明する図である。
【図１１】本発明の一実施例に係る情報再生装置の実行するグルーブ信号からの付加情報ビット値判定シーケンスについて説明するフローチャートを示す図である。
【図１２】本発明の一実施例に係る情報再生装置の実行するグルーブ信号に対する信号解析処理による付加情報の取得処理例について説明する図である。
【図１３】本発明の一実施例に係る情報記録装置の構成例について説明する図である。
【図１４】本発明の一実施例に係る振幅オフセット設定グルーブ信号の記録処理と再生処理例について説明する図である。
【発明を実施するための形態】
【００３２】
以下、図面を参照しながら本発明の情報記録装置、情報再生装置、記録媒体製造装置、情報記録媒体、および方法、並びにプログラムの詳細について説明する。説明は、以下の項目に従って行う。
１．記録媒体製造装置の構成と処理、および情報記録媒体について
２．情報再生装置の構成と処理について
３．情報記録装置の構成と処理について
４．その他の実施例について
【００３３】
［１．記録媒体製造装置の構成と処理、および情報記録媒体について］
まず、本発明の一実施例に係る記録媒体製造装置の構成と処理、および情報記録媒体について、図１以下を参照して説明する。
【００３４】
図１は、本発明の一実施例に係る記録媒体製造装置の構成を示すブロック図である。記録媒体製造装置１００は、ディスク原盤であるマスタディスク１３０の製造を行う。その後、マスタディスク１３０のスタンパ処理によってユーザに提供される情報記録媒体であるディスク１５０が大量生産される。
【００３５】
マスタディスク１３０には、記録条件等の付加情報を記録するために利用されるグルーブ信号が記録される。グルーブ信号は、蛇行すなわちウォブル（ｗｏｂｂｌｅ）した溝によって構成される。
【００３６】
図１に示すように記録媒体製造装置１００は、記録条件等の付加情報１２０、例えば暗号鍵などの付加情報１２０を入力し記録信号を生成する。この生成記録信号に従ってマスタディスク１３０に対するグルーブ信号の記録処理を行う。
【００３７】
付加情報１２０は例えば６４ビット、１２８ビットなどの暗号鍵の構成ビットを含むデータである。この付加情報１２０は記録信号生成部１０２に入力される。
【００３８】
記録信号生成部１０２は、記録条件等の付加情報１２０を入力してマスタディスク１３０に記録する記録信号（グルーブ信号）を生成する。記録信号生成部１０２は、記録条件等の付加情報を示すウォブリンググルーブ信号をＦＭ（Ｆｒｅｑｕｅｎｃｙ  Ｍｏｄｕｌａｔｉｏｎ）変調処理、あるいはＨＦＭ（Ｈｉｇｈ−Ｆｒｅｑｕｅｎｃｙ  Ｍｏｄｕｌａｔｉｏｎ）変調処理により生成する。なお、以下の説明では、ＦＭ（Ｆｒｅｑｕｅｎｃｙ  Ｍｏｄｕｌａｔｉｏｎ）変調処理はＨＦＭ（Ｈｉｇｈ−Ｆｒｅｑｕｅｎｃｙ  Ｍｏｄｕｌａｔｉｏｎ）変調処理も含むものとして説明する。
【００３９】
例えば、記録条件などの第１の付加情報がグルーブ信号によって記録される。さらに、暗号鍵などの重畳記録する第２の付加情報がグルーブ信号（ＦＭ変調信号）に対する振幅オフセット（偏移）の設定によって記録される。オフセット設定とは、グルーブ信号をディスクの内周方向または外周方向、すなわち、ディスク半径方向にずらせる偏移処理である。この処理については、後段で詳細に説明する。
【００４０】
なお、グルーブ信号を利用した付加情報１２０の記録処理態様としては以下の様な態様がある。
Ａ．オフセットを設定しないグルーブ信号に第１付加情報のみを記録する。
Ｂ．オフセットを設定しないグルーブ信号に第１付加情報を記録し、第２付加情報をグルーブ信号に対するオフセット設定によって第１付加情報に重畳して記録する。
Ｃ．オフセットを設定しないグルーブ信号には何も記録せず、オフセットを設定によって第１付加情報のみを記録する。
このような記録態様が可能である。
なお、付加情報には、例えばディスク情報、ディスクに対するコンテンツの記録条件、再生条件、記録／再生処理制御情報、ディスクに記録するコンテンツの暗号化および復号処理に適用する暗号鍵などがある。これらの付加情報を上記Ａ〜Ｃのいずれかの記録態様に従って、単独でまたは重畳して記録することができる。
【００４１】
記録信号生成部１０２の生成した記録信号は記録部１０３に出力される。記録部１０３はたとえばレーザ出力によりマスタディスク１３０に対して記録信号に応じた溝（グルーブ）を形成する。マスタディスク１３０に記録されるグルーブ信号は、コンテンツの記録されるデータトラックに沿って設定されたスパイラル状の溝、およびデータトラックの形成されていないディスク内周部などに設定されたスパイラル状の溝である。少なくともその一部は、暗号鍵などの付加情報が記録された振幅オフセットを持つグルーブ信号である。
【００４２】
以下、説明する実施例では、オフセットのないグルーブ信号として、例えば記録条件等の第１付加情報を記録し、さらにグルーブ信号に対する振幅オフセットの設定によって第２付加情報である暗号鍵を記録する例について説明する。なお、オフセットのないグルーブ信号には付加情報を記録せず、グルーブ信号に対する振幅オフセットの設定によって暗号鍵のみを記録する設定でもよい。
【００４３】
図１に示す記録部１０３による記録処理によって付加情報として暗号鍵がグルーブ信号に対する振幅オフセットの設定によって記録されたグルーブ信号を持つマスタディスク１３０が製造される。このマスタディスク１３０のスタンパ処理によって、ユーザに提供する大量のディスク１５０が生産される。
【００４４】
なお、ディスク１５０は、例えば映画などのコンテンツが記録されたディスク、あるいは、コンテンツの記録されていないディスク、いずれでもよい。コンテンツの記録されていないディスクは、ユーザによるデータ書き込みが可能なディスクである。このようなディスク１５０を購入したユーザは後日、映画などのコンテンツをディスク１５０に記録することができる。
【００４５】
例えばコンテンツの記録されていないディスクを購入したユーザは、ユーザのＰＣなどの記録再生装置を利用してコンテンツ提供サーバにネットワークを介して接続する。サーバは、ディスク１５０に記録されている暗号鍵を用いて復号可能な暗号化コンテンツをユーザ装置に提供する。
【００４６】
ユーザ装置は、サーバからダウンロードしたコンテンツをディスク１５０に記録する。その後、コンテンツ再生処理に際して、ディスク１５０に記録されたグルーブ信号から暗号鍵を読み取り、読み取った暗号鍵を用いてディスク１５０に記録された暗号化コンテンツの復号処理を実行してコンテンツ再生処理を行うことができる。
【００４７】
あるいは、サーバから暗号化されていないコンテンツを取得し、ユーザ装置側でディスクのグルーブ信号から読み取った暗号鍵を適用して取得コンテンツの暗号化処理を行ってディスクに記録することも可能となる。
【００４８】
いずれの態様においても、暗号化コンテンツとその復号に適用する暗号鍵は１つのディスクにまとまって格納されることになる。従って、例えば暗号化コンテンツを他のメディアに出力してコピーしても、暗号鍵が利用できないことになり、コンテンツの不正利用を効果的に防止することができる。
【００４９】
次に図２を参照して、記録媒体製造装置１００の記録信号生成部１０２の構成と処理の詳細について説明する。記録信号生成部１０２は前述したように、暗号鍵、記録再生条件等の付加情報を含む記録信号を生成する。
【００５０】
記録信号生成部１０２は図２に示すように、変調信号生成部１２２、振幅オフセット設定部１２３を有する。
【００５１】
記録信号生成部１０２は、付加情報の構成ビットの値（０，１）に応じたオフセット設定を行ったグルーブ信号を生成する。オフセット設定とは、前述したようにグルーブ信号をディスクの内周方向または外周方向、すなわち、ディスク半径方向にずらせる偏移処理である。
【００５２】
例えば、付加情報の構成ビットが［１］の場合には、ディスクの内周方向（＋方向）に振幅をオフセット（偏移）させたグルーブ信号、付加情報の構成ビットが［０］の場合には、ディスクの外周方向（−方向）に振幅をオフセット（偏移）させたグルーブ信号を生成して記録する。すなわち、付加情報の構成ビットに応じて振幅のオフセット方向を異ならせた信号を生成して記録する。
【００５３】
なお、オフセット設定は様々な設定が可能である。例えば上述の逆の設定や、以下のような設定もある。
ビット［１］の場合、＋方向に振幅をオフセットさせた先行するグルーブ信号と、−方向に振幅をオフセットさせたグルーブ信号の組み合わせ、
ビット［０］の場合、−方向に振幅をオフセットさせた先行するグルーブ信号と、＋方向に振幅をオフセットさせた後続するグルーブ信号の組み合わせ、
このような設定など、様々な設定が可能である。
また、オフセットを持たないグルーブ信号とオフセットを持つグルーブ信号との組み合わせとする設定も可能である。
【００５４】
なお、オフセットの方向について以下では、内周方向を＋方向、外周方向を−方向として説明するが、このオフセットの＋方向と−方向はオフセット方向が逆方向であることを意味するものであり、内周方向や外周方向との対応について限定されるものではなく、上述の設定とは逆の内周方向を−方向、外周方向が＋方向の設定としてもよい。
【００５５】
変調信号生成部１２２は、例えば記録条件等の第１付加情報に応じてＦＭ変調処理を行った変調信号を生成する。ここで生成する信号はオフセットのないグルーブ信号に相当し、第１付加情報のみが含まれている。
次に、振幅オフセット設定部１２３は、変調信号生成部１２２の生成した変調信号に対して第２付加情報である暗号鍵の構成ビットに応じて振幅のオフセット方向を異ならせて設定した記録信号を生成する。すなわち、第１付加情報に第２付加情報を重畳したグルーブ信号を生成する。
【００５６】
図３にマスタディスクやディスク１５０に記録されるグルーブ信号の例を示す。グルーブ信号は、ディスク１５０に対してスパイラル状に設定した溝として記録される信号である。図３（１）（２ａ），（２ｂ）には、その一部の詳細構成例を示している。すなわち、図３に示すディスク１５０のＡＢ部分のグルーブ信号の例を示している。
【００５７】
図３には、以下の各信号例を示している。
（１）振幅オフセット設定なしのグルーブ信号
（２ａ）＋方向に振幅をオフセットさせたグルーブ信号
（２ｂ）−方向に振幅をオフセットさせたグルーブ信号
【００５８】
なお、図３（１），（２ａ），（２ｂ）に示すデータは、ディスクの平面に記録されたグルーブ信号に相当し、右方向がトラックの信号方向である。図３（１）には、振幅オフセット設定なしのグルーブ信号を示している。（２ａ），（２ｂ）では、この振幅オフセット設定なしのグルーブ信号を点線で示している。
図３（２ａ），（２ｂ）に示す実線は、振幅をオフセットさせたグルーブ信号である。
【００５９】
図３（２ａ）に示す例では、実線で示す＋方向に振幅をオフセットさせたグルーブ信号が、点線で示すグルーブ信号（振幅オフセットなし）に比較して上方向（＋方向）にわずかにずれている。このずれが＋方向の振幅オフセットである。上方向は、本例ではディスク内周方向（＋方向）に相当する。
【００６０】
また、図３（２ｂ）に示す例では、実線で示す−方向に振幅をオフセットさせたグルーブ信号が、点線で示すグルーブ信号（振幅オフセットなし）に比較して下方向（−方向）にわずかにずれている。このずれが−方向の振幅オフセットである。下方向は、本例ではディスク外周方向（−方向）に相当する。
【００６１】
前述したように、図３に示す各グルーブ信号は、ディスクの上面から見た図に相当する。例えば、図３（２ａ）に示す＋方向に振幅をオフセットさせたグルーブ信号は、グルーブ信号全体がディスク内周側にずれて形成されていることを示している。図３（２ｂ）に示す−方向に振幅をオフセットさせたグルーブ信号は、グルーブ信号全体がディスク外周側にずれて形成されていることを示している。
【００６２】
マスタディスクおよびディスクに記録されるグルーブ信号は、図３（１），（２ａ），（２ｂ）の異なるタイプのグルーブ信号が混在した設定となる。鍵情報などの付加情報の構成ビットに応じて、振幅のオフセット方向を異ならせたグルーブ信号が記録される。なお、このような振幅のオフセットは、グルーブ信号の記録時に生成する記録信号のＤＣレベルを調整することで設定できる。
【００６３】
例えば、図３（１）に示す振幅オフセットなしグルーブ信号は、図に示すように、−Ｓ〜＋Ｓの範囲で電位を変化させてグルーブ信号を生成して記録する。
これに対して、
図３（２ａ）に示す＋方向に振幅をオフセットさせたグルーブ信号は、（−Ｓ＋Ｖ）〜（＋Ｓ＋Ｖ）の範囲で電位を変化させたグルーブ信号を生成して記録すればよい。
図３（２ｂ）に示す−方向に振幅をオフセットさせたグルーブ信号は、（−Ｓ−Ｖ）〜（＋Ｓ−Ｖ）の範囲で電位を変化させたグルーブ信号を生成して記録する。
【００６４】
図２に示す振幅オフセット設定部１２３は、このような記録信号を生成して＋方向または−方向のオフセットを持つグルーブ信号やオフセットなしのグルーブ信号を所定の信号区間ごとに、随時切り換えて生成し記録処理を行う。
【００６５】
なお、グルーブ信号に設定する振幅のオフセット割合はごくわずかなものとする。例えば、図３（１）に示す振幅オフセットなしグルーブ信号の振幅（Ｓ）に対して設定されるオフセット（＋Ｖ）、（−Ｖ）は、振幅（Ｓ）の１〜５％程度である。
【００６６】
図３（１）に示す振幅オフセットなしグルーブ信号は、−Ｓ〜＋Ｓの振幅のＦＭ変調信号であるが、本発明に従ったディスクでは、図３（１），（２ａ），（２ｂ）の異なるタイプのグルーブ信号が混在した設定となる。結果として、（−Ｓ−Ｖ）〜（＋Ｓ＋Ｖ）の振幅のＦＭ変調信号が記録されることになる。
【００６７】
再生装置は、グルーブ信号の読み取りに際して、グルーブ信号から振幅のオフセットを検出し、検出した振幅オフセットに基づいて付加情報のビット値を解析する。再生装置は、例えば読み取りグルーブ信号である再生信号［Ｒ１］から、オフセットを設定なしのオリジナル信号［Ｒ０］を推定し、これらの差分信号Ｃ、すなわち、
Ｃ＝Ｒ１−Ｒ０を算出する。
算出した差分信号Ｃの値を一定区間単位で蓄積（積分）する。その積分処理結果に基づいてグルーブ信号の振幅のオフセットを検出する。具体的な振幅のオフセット設定例と、付加情報を構成するビットデータとの対応例について図４を参照して説明する。
【００６８】
図４はグルーブ信号の記録処理と再生処理例について示した図である。図４の例は、例えば暗号鍵などの付加情報の構成ビットの値０，１に応じてオフセット方向を変更して設定した例である。すなわち、
ビット＝１の場合に、＋方向の振幅オフセットを設定したグルーブ信号、
ビット＝０の場合に、−方向の振幅オフセットを設定したグルーブ信号、
このような設定でグルーブ信号を記録した場合の例を示している。
【００６９】
グルーブ信号の記録処理に際しては、付加情報の構成ビット＝１の場合には、＋方向の振幅オフセットを設定したグルーブ信号を所定区間記録する。付加情報の構成ビット＝１の場合には、−方向の振幅オフセットを設定したグルーブ信号を所定区間記録する。
【００７０】
図４に示す例では、
ｔ１〜ｔ２：＋方向振幅オフセット設定グルーブ信号（ビット値＝１に対応）
ｔ２〜ｔ３：−方向振幅オフセット設定グルーブ信号（ビット値＝０に対応）
ｔ３〜ｔ４：＋方向振幅オフセット設定グルーブ信号（ビット値＝１に対応）
ｔ４〜ｔ５：＋方向振幅オフセット設定グルーブ信号（ビット値＝１に対応）
ｔ５〜ｔ６：−方向振幅オフセット設定グルーブ信号（ビット値＝０に対応）
このような設定で、グルーブ信号を生成して記録した例を示している。
【００７１】
なお、前述したように設定する振幅オフセットは、ごくわずかであり、図３（１）に示す振幅オフセットなしグルーブ信号の振幅（Ｓ）に対して設定されるオフセット（＋Ｖ）、（−Ｖ）は、振幅（Ｓ）の１〜５％程度である。従って、一度の読み取りでは設定された振幅オフセットが＋方向なのか−方向なのかを判定することが困難な設定である。
【００７２】
グルーブ信号の記録処理に際しては、例えば付加情報の構成ビットがビット値＝１の場合には、＋方向の振幅オフセットを持つグルーブ信号を一定区間設定して記録する。またビット＝０の場合には、−方向の振幅オフセットを持つグルーブ信号を一定区間設定して記録する。
【００７３】
再生装置は、グルーブ信号の読み取りを所定のサンプリングタイム（Ｔ）間隔で実行し、各サンプリングタイムにおいて読み取られた再生信号［Ｒ１］から、オフセットを設定していないオリジナル信号［Ｒ０］を推定する。この処理の詳細については後述する。
【００７４】
さらに、各サンプリングタイムにおいて読み取られた再生信号［Ｒ１］から、上記の推定処理によって得られるオフセットを設定なしのオリジナル信号［Ｒ０］との差分信号Ｃ、すなわち、
Ｃ＝Ｒ１−Ｒ０を算出する。
算出した差分信号Ｃの値を一定区間（例えばｔ１〜ｔ２）単位で蓄積（積分）する。この積分処理によって、一定区間（例えばｔ１〜ｔ２）において読み取られたグルーブ信号の振幅オフセットの方向（＋，−）を判定する。この具体的処理については後段で説明する。
【００７５】
なお、記録装置、再生装置のいずれも装置に設定されたクロックによって制御タイミングが設定され、図４に示すｔ１〜ｔ２などの区間については、予め規定したクロック数によって判別することができる。
【００７６】
ディスクには、図３を参照して説明したように、
（１）振幅オフセット設定なしグルーブ信号
（２ａ）＋方向振幅オフセット設定グルーブ信号
（２ｂ）−方向振幅オフセット設定グルーブ信号
これらの３パターンの信号が記録される。
一定区間単位、例えば図４に示すｔ１〜ｔ２、ｔ２〜ｔ３などの一定区間単位で、上記３パターン（１），（２ａ），（２ｂ）のいずれかの設定でグルーブ信号を記録する。
【００７７】
再生装置は、図４に示すｔ１〜ｔ２、ｔ２〜ｔ３などの一定区間単位で、振幅オフセットの解析を実行する。この解析により上記３パターンに対応する異なる振幅オフセット蓄積信号（積分信号）を生成することが可能となる。このような振幅オフセット蓄積処理、すなわち検出信号の積分処理により、設定された振幅オフセットが＋方向であるか−方向であるかを誤りなく検出することが可能となる。
【００７８】
この処理が図４の下部に示す処理である。例えば、再生装置は、図４に示すｔ１〜ｔ２、ｔ２〜ｔ３などの一定区間単位で、各サンプリングタイムにおいて読み取られた再生信号［Ｒ１］から、オフセット設定なしのオリジナル信号［Ｒ０］を推定する。
次に、再生信号［Ｒ１］と、推定したオリジナル信号［Ｒ０］との差分信号Ｃ、すなわち、
Ｃ＝Ｒ１−Ｒ０を算出する。
さらに、算出した差分信号Ｃの値を一定区間（例えばｔ１〜ｔ２）単位で蓄積（積分）する。この蓄積結果が＋方向あるいは−方向のいずれに所定閾値以上ずれているか否かを判定して、オフセット方向の判別を実行する。
【００７９】
図４の下部に示す処理例は、具体的には、以下のような処理例を示している。
ｔ１〜ｔ２：読み取りグルーブ信号である再生信号Ｒ１からオフセット設定なしのオリジナル信号［Ｒ０］を推定し、これらの差分信号Ｃ＝Ｒ１−Ｒ０を算出する。算出した差分信号Ｃを蓄積（積分）し、＋方向の振幅オフセットが設定された区間であると判断し、ビット値＝［１］と判定する。
ｔ２〜ｔ３：読み取りグルーブ信号である再生信号Ｒ１から、オフセット設定なしのオリジナル信号［Ｒ０］を推定し、これらの差分信号Ｃ＝Ｒ１−Ｒ０を算出する。算出した差分信号Ｃを蓄積（積分）し、−方向の振幅オフセットが設定された区間であると判断し、ビット値＝［０］と判定する。
以下、同様の処理を実行して、ビットの値を順次、取得していく。
この処理を継続することで、例えば６４ビットや１２８ビットの鍵を構成するビット値をすべて正確に取得することができる。
【００８０】
［２．情報再生装置の構成と処理について］
次に、上述した付加情報を重畳したグルーブ信号を記録したディスクの再生処理を行う再生装置の構成と処理例について説明する。
【００８１】
図５は、本発明の一実施例に係る情報再生装置の構成例を示すブロック図である。図５に示すように情報再生装置２００は、再生部２０１、信号解析部２０２、復号処理部２０４を有する。
【００８２】
再生部２０１はディスク１５０からの信号読み取りを行う。ディスク１５０は、先に説明した暗号鍵などの付加情報を重畳したグルーブ信号が記録されたディスクである。さらに、その暗号鍵で暗号化された暗号化コンテンツが記録されている。
【００８３】
再生部２０１は、グルーブ信号を読み取り、信号解析部２０２に出力する。グルーブ信号は、先に図３等を参照して説明したように、
（１）振幅オフセット設定なしグルーブ信号
（２ａ）＋方向振幅オフセット設定グルーブ信号
（２ｂ）−方向振幅オフセット設定グルーブ信号
これらの３パターンの信号の混在したグルーブ信号である。
【００８４】
信号解析部２０２は、再生部２０１から入力するグルーブ信号の復調処理および解析を実行して、振幅オフセットの検出を行い、検出した振幅オフセットに基づいてグルーブ信号中に記録された付加情報の構成ビット値を検出する。
【００８５】
信号解析部２０２において検出された付加情報の構成ビット情報に基づいて付加情報１２０を得る。例えば付加情報１２０は暗号鍵であり、ディスク１５０に記録された暗号化コンテンツの復号処理に適用される。
【００８６】
また、信号解析部２０２において復調された結果からは、グルーブ信号に含まれるその他の付加情報、例えばアドレス情報１２５が第１付加情報として得られる。なお、グルーブ信号に設定された振幅オフセットは前述したようにわずかな振幅オフセットであり、取得されたアドレス情報にエラーを発生させるほどの影響はない。なお、グルーブ信号に含まれるその他の付加情報、例えばアドレス情報１２５を取得する処理は、一般的なグルーブ信号の読み取り処理として行われる。例えば、グルーブ信号の読み取り信号として得られるプッシュプル信号に対するＦＭ復調処理を行い、復調処理結果に対するバンドパスフィルタ処理、２値化処理を行い、さらに必要に応じてＥＣＣデコード、デインターリーブなどの処理がなされて、グルーブ信号に含まれるその他の付加情報、例えばアドレス情報１２５や、そのディスクの基本情報（ディスク種別、ライトストラテジのパラメータ等）が取得される。
【００８７】
なお、データトラックに記録されたコンテンツの読み取りに際しては、例えばデータ領域中のアドレス情報を適用して所定トラック位置にピックアップを設定して、暗号化コンテンツの読み取りが行われる。復号処理部２０４は、グルーブ信号から取得した付加情報（暗号鍵）１２０を適用して暗号化コンテンツの復号処理を実行してコンテンツ再生を行う。
【００８８】
信号解析部２０２の詳細構成と処理について、図６を参照して説明する。
図６に示すように、信号解析部２０２は、復調部２２１、振幅オフセット検出部２２２、ビット値判定部２２３を有する。
復調部２２１は、ＦＭ変調信号としてディスクに記録されたグルーブ信号を再生部２０１から入力して復調処理を実行する。
【００８９】
振幅オフセット検出部２２２は、先に図４を参照して説明したように、グルーブ信号の読み取りを所定のサンプリングタイム（Ｔ）間隔で実行し、各サンプリングタイムにおいて読み取られた再生信号［Ｒ１］から、オフセット設定なしのオリジナルグルーブ信号の再生信号［Ｒ０］を推定する。
さらに、上述の各サンプリングタイムにおいて読み取られた再生信号［Ｒ１］から、推定したオフセット設定なしのオリジナル再生信号［Ｒ０］との差分信号Ｃ、すなわち、
Ｃ＝Ｒ１−Ｒ０を算出する。
さらに、算出した差分信号Ｃの値を一定区間（例えばｔ１〜ｔ２）単位で蓄積（積分）しオフセット方向（偏移情報）を取得する。この積分処理によって、一定区間（例えばｔ１〜ｔ２）において読み取られたグルーブ信号の振幅オフセットの方向（＋，−）を判定する。
【００９０】
ディスクには、図３を参照して説明したように、
（１）振幅オフセット設定なしグルーブ信号
（２ａ）＋方向振幅オフセット設定グルーブ信号
（２ｂ）−方向振幅オフセット設定グルーブ信号
これらの３パターンの信号が記録されている。
情報再生装置の振幅オフセット検出部２２２は、例えば図４に示すｔ１〜ｔ２、ｔ２〜ｔ３などの一定区間単位で、上記３パターンのいずれのオフセット設定のグルーブ信号であるかを判別する。
【００９１】
振幅オフセット検出部２２２の実行する振幅オフセット検出処理の具体例について、図７以下を参照して説明する。
【００９２】
図７（２ａ）は、先に図３（２ａ）を参照して説明したと同様のグルーブ信号の例であり、＋方向に振幅オフセットを設定したグルーブ信号を実線で示している。点線は振幅オフセットなしのグルーブ信号を参考として示している。
【００９３】
図７（２ｂ）は、先に図３（２ｂ）を参照して説明したと同様のグルーブ信号の例であり、−方向に振幅オフセットを設定したグルーブ信号を実線で示している。点線は振幅オフセットなしのグルーブ信号を参考として示している。
【００９４】
再生装置によるグルーブ信号の読み取りは、一定期間のサンプリング間隔で実行される。図７（２ａ）（２ｂ）に示す複数の上向き矢印がサンプリングタイミングを示している。左から右に、グルーブ信号が間隔Ｔごとに読み取られる。
【００９５】
振幅オフセットの検出には、一定区間（例えば先に図４を参照して説明したｔ１〜ｔ２、ｔ２〜ｔ３などの一定区間）単位のサンプリングデータが利用される。
再生装置の振幅オフセット検出部２２２は、まず、各サンプリングタイムにおいて読み取られた再生信号［Ｒ１］から、オフセット設定なしのオリジナル再生信号［Ｒ０］を推定する。
【００９６】
このオリジナル信号推定処理について、図８に示すフローチャートを参照して説明する。
まず、ステップＳ１０１において、グルーブ信号の再生信号［Ｒ１］を取得する。
次に、ステップＳ１０２において、再生信号［Ｒ１］と、予め設定した閾値（Ｓ／２）との比較処理を行う。
閾値（Ｓ／２）について、図７を参照して説明する。図７（２ａ），（２ｂ）に示すように、オフセットを設定していないオリジナルのグルーブ信号の振幅範囲は−Ｓ〜＋Ｓである。これは、先に図３を参照して説明した通りである。
【００９７】
振幅オフセットなしグルーブ信号は振幅が−Ｓ〜＋Ｓ、
＋方向の振幅オフセットグルーブ信号は振幅が（−Ｓ＋Ｖ）〜（＋Ｓ＋Ｖ）、
−方向の振幅オフセットグルーブ信号は振幅が（−Ｓ−Ｖ）〜（＋Ｓ−Ｖ）、
このようなグルーブ信号として記録されている。これは、先に図３を参照して説明した通りである。
（Ｓ／２）は、オフセットを設定していないオリジナルのグルーブ信号の振幅の最大値（Ｓ）の半分（１／２）の値（電位）に相当する。
【００９８】
ステップＳ１０２では、グルーブ信号の再生信号［Ｒ１］と、オフセット設定なしオリジナルグルーブ信号の振幅最大値［Ｓ］の１／２の値である［Ｓ／２］とを比較する。すなわち、
Ｒ１≧（Ｓ／２）・・・（式１）
上記式（式１）が成立するか否かを判定する。
【００９９】
上記式（式１）が成立する場合は、ステップＳ１０４に進み、成立しない場合は、ステップＳ１０３に進む。
上記式（式１）が成立し、ステップＳ１０４に進んだ場合、オフセットなしのオリジナル再生信号［Ｒ０］は、
Ｒ０＝Ｓ
であると判定する。
【０１００】
上記式（式１）が成立せず、ステップＳ１０３に進むと、グルーブ信号の再生信号［Ｒ１］と、オフセット設定なしオリジナルグルーブ信号の振幅最小値［−Ｓ］の１／２の値である［−Ｓ／２］とを比較する。すなわち、
Ｒ１≦（−Ｓ／２）・・・（式２）
上記式（式２）が成立するか否かを判定する。
【０１０１】
上記式（式２）が成立する場合は、ステップＳ１０５に進み、成立しない場合は、ステップＳ１０６に進む。
上記式（式２）が成立し、ステップＳ１０５に進んだ場合、オフセットなしのオリジナル再生信号［Ｒ０］は、
Ｒ０＝−Ｓ
であると判定する。
上記式（式２）が成立せず、ステップＳ１０６に進んだ場合、オフセットなしのオリジナル再生信号［Ｒ０］は、
Ｒ０＝Ｒ１
であると判定する。
【０１０２】
このオリジナル信号の推定処理の具体例について、図９、図１０を参照して説明する。
図９は、図７（２ａ）に示す＋方向の振幅オフセット設定グルーブ信号の再生処理を実行した場合のオリジナル信号の推定処理の処理例を示す図である。
【０１０３】
図９に示す信号区間ｔａ〜ｔｂでは、
再生信号［Ｒ１］＝（＋Ｓ＋Ｖ）が取得される。これは、図８のステップＳ１０１の処理に対応する。
ステップＳ１０２では、グルーブ信号の再生信号［Ｒ１］＝（＋Ｓ＋Ｖ）と、オフセット設定なしオリジナルグルーブ信号の振幅最大値［Ｓ］の１／２の値である［Ｓ／２］とを比較する。すなわち、
（＋Ｓ＋Ｖ）≧（Ｓ／２）
上記式が成立するか否かを判定する。
図９のｔａ〜ｔｂ間では、（＋Ｓ＋Ｖ）は（Ｓ／２）よりも明らかに大きく、上記式が成立する。
従って、ステップＳ１０２の判定はＹｅｓとなり、図８のフローのステップＳ１０４に進む。
結果として、
オフセットなしオリジナル信号［Ｒ０］は、
Ｒ０＝Ｓ
と判定される。
【０１０４】
図９に示す信号区間ｔｂ〜ｔｃでは、
再生信号［Ｒ１］＝（−Ｓ＋Ｖ）が取得される。これは、図８のステップＳ１０１の処理に対応する。
ステップＳ１０２では、グルーブ信号の再生信号［Ｒ１］＝（−Ｓ＋Ｖ）と、オフセット設定なしオリジナルグルーブ信号の振幅最大値［Ｓ］の１／２の値である［Ｓ／２］とを比較する。すなわち、
（−Ｓ＋Ｖ）≧（Ｓ／２）
上記式が成立するか否かを判定する。
図９のｔｂ〜ｔｃ間では、（−Ｓ＋Ｖ）は（Ｓ／２）よりも明らかに小さく、上記式が成立しない。
従って、ステップＳ１０２の判定はＮｏとなり、図８のフローのステップＳ１０３に進む。
【０１０５】
ステップＳ１０３では、グルーブ信号の再生信号［Ｒ１］＝（−Ｓ＋Ｖ）と、オフセット設定なしオリジナルグルーブ信号の振幅最小値［−Ｓ］の１／２の値である［−Ｓ／２］とを比較する。すなわち、
（−Ｓ＋Ｖ）≦（−Ｓ／２）
上記式が成立するか否かを判定する。
図９のｔｂ〜ｔｃ間では、（−Ｓ＋Ｖ）は（−Ｓ／２）よりも明らかに小さく、上記式が成立する。
従って、ステップＳ１０３の判定はＹｅｓとなり、図８のフローのステップＳ１０５に進む。
結果として、
オフセットなしオリジナル信号［Ｒ０］は、
Ｒ０＝−Ｓ
と判定される。
【０１０６】
次に、図１０を参照して図７（２ｂ）に示す−方向の振幅オフセット設定グルーブ信号の再生処理を実行した場合のオリジナル信号の推定処理の処理例について説明する。
【０１０７】
図１０に示す信号区間ｔａ〜ｔｂでは、
再生信号［Ｒ１］＝（＋Ｓ−Ｖ）が取得される。これは、図８のステップＳ１０１の処理に対応する。
ステップＳ１０２では、グルーブ信号の再生信号［Ｒ１］＝（＋Ｓ−Ｖ）と、オフセット設定なしオリジナルグルーブ信号の振幅最大値［Ｓ］の１／２の値である［Ｓ／２］とを比較する。すなわち、
（＋Ｓ−Ｖ）≧（Ｓ／２）
上記式が成立するか否かを判定する。
図１０のｔａ〜ｔｂ間では、（＋Ｓ−Ｖ）は（Ｓ／２）よりも明らかに大きく、上記式が成立する。
従って、ステップＳ１０２の判定はＹｅｓとなり、図８のフローのステップＳ１０４に進む。
結果として、
オフセットなしオリジナル信号［Ｒ０］は、
Ｒ０＝Ｓ
と判定される。
【０１０８】
図１０に示す信号区間ｔｂ〜ｔｃでは、
再生信号［Ｒ１］＝（−Ｓ−Ｖ）が取得される。これは、図８のステップＳ１０１の処理に対応する。
ステップＳ１０２では、グルーブ信号の再生信号［Ｒ１］＝（−Ｓ−Ｖ）と、オフセット設定なしオリジナルグルーブ信号の振幅最大値［Ｓ］の１／２の値である［Ｓ／２］とを比較する。すなわち、
（−Ｓ−Ｖ）≧（Ｓ／２）
上記式が成立するか否かを判定する。
図１０のｔｂ〜ｔｃ間では、（−Ｓ−Ｖ）は（Ｓ／２）よりも明らかに小さく、上記式が成立しない。
従って、ステップＳ１０２の判定はＮｏとなり、図８のフローのステップＳ１０３に進む。
【０１０９】
ステップＳ１０３では、グルーブ信号の再生信号［Ｒ１］＝（−Ｓ−Ｖ）と、オフセット設定なしオリジナルグルーブ信号の振幅最小値［−Ｓ］の１／２の値である［−Ｓ／２］とを比較する。すなわち、
（−Ｓ−Ｖ）≦（−Ｓ／２）
上記式が成立するか否かを判定する。
図９ｚｔｂ〜ｔｃ間では、（−Ｓ−Ｖ）は（−Ｓ／２）よりも明らかに小さく、上記式が成立する。
従って、ステップＳ１０３の判定はＹｅｓとなり、図８のフローのステップＳ１０５に進む。
結果として、
オフセットなしオリジナル信号［Ｒ０］は、
Ｒ０＝−Ｓ
と判定される。
【０１１０】
なお、図８のフローのステップＳ１０６は、
Ｒ０＝Ｒ１
と判定される場合であるが、これは、例えば図９、図１０のサンプリングタイムｔｂのような、＋から−または−から＋に読み取り信号［Ｒ１］が遷移する際に発生する可能性がある。この場合は、
オリジナル再生信号［Ｒ０］を読み取り再生信号［Ｒ１］として推定する。
【０１１１】
再生装置の振幅オフセット検出部２２２は、このように、図８に示すフローに従って、各サンプリングタイムにおいて読み取られた再生信号［Ｒ１］から、オフセット設定なしのオリジナル再生信号［Ｒ０］を推定する。
【０１１２】
再生装置の振幅オフセット検出部２２２は、次に、各サンプリングタイムにおいて読み取られた再生信号［Ｒ１］と、推定したオフセット設定なしのオリジナル再生信号［Ｒ０］との差分信号Ｃ、すなわち、
Ｃ＝Ｒ１−Ｒ０を算出する。
【０１１３】
この差分信号Ｃは、各サンプリングタイムで逐次、取得されるが、グルーブ信号としてのＦＭ信号振幅（−Ｓ〜＋Ｓ）と比較して、１〜５％程度であり、各サンプリングタイムで算出した差分値Ｃのみで、オフセット方向を高精度に判定することは難しい。信号記録再生時のノイズによっては誤ったオフセット方向の判定がなされる可能性もある。
【０１１４】
そこで、再生装置の振幅オフセット検出部２２２は、各サンプリングタイムごとに算出した差分信号Ｃの値を一定区間（例えばｔ１〜ｔ２）単位で蓄積（積分）しオフセット方向（偏移情報）を取得する。この積分処理によって、一定区間（例えばｔ１〜ｔ２）において読み取られたグルーブ信号の振幅オフセットの方向（＋，−）を判定する。
【０１１５】
再生装置の振幅オフセット検出部２２２が実行する振幅オフセット判定処理について、図１１に示すフローチャートを参照して説明する。
まず、ステップＳ２０１において、再生信号＝Ｒ１を取得する。これは、ディスクに記録されたグルーブ信号の再生信号である。
【０１１６】
次にステップＳ２０２において、再生信号［Ｒ１］からオリジナル信号［Ｒ０］を推定する。この処理は先に図８のフローチャートを参照して説明した処理である。
【０１１７】
次に、ステップＳ２０３において、再生信号［Ｒ１］と推定オリジナル信号［Ｒ０］の差分信号Ｃを以下の式に従って算出する。
Ｃ＝Ｒ１−Ｒ０
【０１１８】
ここまでのステップＳ２０１〜Ｓ２０３の処理はサンプリングタイムの読み取りデータ高いで実行される。
【０１１９】
以下のステップＳ２０４以下の処理は、予め規定した一定区間（例えば先に図４を参照して説明したｔ１〜ｔ２、ｔ２〜ｔ３などの一定区間）単位で実行される。
【０１２０】
ステップＳ２０４では、予め規定した一定区間の各サンプリングｔの差分信号Ｃを、
Ｃ＝Ｉ（ｔ）
とする。
さらに、ステップＳ２０５において、既定区間ごとの（Ｃ＝Ｉ（ｔ））の積分値Ｖｎを下式（式３）にしたがって算出する。
Ｖｎ＝ΣＩ（ｔ）・・・（式３）
【０１２１】
なお、上記式（式３）において、
ｎは、付加情報（例えば暗号鍵）の構成ビットの番号であり、ｎ＝０，１，２，・・・である。
Ｖｎは、付加情報のｎ番目の構成ビットを検出する区間における読み取り信号Ｉ（ｔ）の蓄積（積分）データである。
【０１２２】
ステップＳ２０６では、ステップＳ２０５において算出した積分値Ｖｎとあらかじめ設定した閾値Ｔ１，Ｔ２との比較を実行して、以下の結果を得る。
Ｔｈ１＞ΣＩ（ｔ）＞Ｔｈ２  →  振幅オフセットなし
ΣＩ（ｔ）≧Ｔｈ１  →  ＋方向振幅オフセットあり
ΣＩ（ｔ）≦Ｔｈ２  →  −方向振幅オフセットあり
【０１２３】
図６に示す振幅オフセット検出部２２２は、一定信号区間（例えば先に図４を参照して説明したｔ１〜ｔ２、ｔ２〜ｔ３などの一定区間）単位で、上記差分データＣ＝Ｉ（ｔ）の蓄積（積分）データＶｎを取得し、取得データをビット値判定部２２３に出力する。
【０１２４】
ビット値判定部２２３は、図１１のステップＳ２０６の判定式、すなわち、
Ｔｈ１＞ΣＩ（ｔ）＞Ｔｈ２  →  振幅オフセットなし
ΣＩ（ｔ）≧Ｔｈ１  →  ＋方向振幅オフセットあり
ΣＩ（ｔ）≦Ｔｈ２  →  −方向振幅オフセットあり
これらのシンプクオフセット情報を振幅オフセット検出部２２２から受領して、受領情報に基づいて付加情報のビット値を決定する。この処理は、一定信号区間（例えば先に図４を参照して説明したｔ１〜ｔ２、ｔ２〜ｔ３などの一定区間）単位で実行される。
【０１２５】
ビット値判定部２２３は、予め設定した振幅オフセットとビット値との対応情報に従って、各信号区間のビット値を判定する。例えば、
ΣＩ（ｔ）≧Ｔｈ１→＋方向振幅オフセットあり＝ビット値［１］
ΣＩ（ｔ）≦Ｔｈ２→−方向振幅オフセットあり＝ビット値［０］
上記のようなビット値判定処理を、各信号区間単位で実行する。ｎ個の信号区間の判定結果に基づいて、ｎビットのビット列が生成される。このビット情報が、図６に示す付加情報（鍵情報など）１２０として出力される。
【０１２６】
例えば、この付加情報１２０は、ディスクに格納されたコンテンツの暗号化および復号処理に適用する暗号鍵である。図５に示す復号処理部２０４は、グルーブ信号から取得した付加情報（暗号鍵）１２０を適用して暗号化コンテンツの復号処理を実行してコンテンツ再生を行うことができる。
【０１２７】
図１２は、各サンプリングタイムｔにおける差分信号、すなわち、
Ｉ（ｔ）＝Ｃ（＝Ｒ１−Ｒ０）
この差分信号の積分結果（ΣＩ（ｔ））と閾値との比較処理の具体例について説明する図である。
図１２には、以下の３パターンの例を示している。
（１）振幅オフセット設定なしグルーブ信号
（２ａ）＋方向振幅オフセット設定グルーブ信号
（２ｂ）−方向振幅オフセット設定グルーブ信号
（１），（２ａ），（２ｂ）に示す曲線は、これらの３パターンの信号に対する信号区間ｔ１〜ｔ２の差分信号Ｃ＝Ｉ（ｔ）の積分結果Ｖｎである。
【０１２８】
図１２（１）は、信号区間ｔ１〜ｔ２のグルーブ信号が、振幅オフセットの設定されていないグルーブ信号である場合の例である。
この場合、差分信号Ｃ＝Ｉ（ｔ）は、いずれか一方に偏りが発生することなく、信号の誤差範囲内に＋−方向にほぼバランスされて発生する。
【０１２９】
この結果、信号区間ｔ１〜ｔ２における差分信号Ｃ＝Ｉ（ｔ）の積分結果、
Ｖｎ＝ΣＩ（ｔ）
は、予め設定された閾値Ｔｈ１〜Ｔｈ２の範囲となる。
すなわち、これは、
Ｔｈ１＞ΣＩ（ｔ）＞Ｔｈ２→振幅オフセットなし
このように、上記式に従って、振幅オフセットなしとの判定がなされる。
【０１３０】
図１２（２ａ）は、信号区間ｔ１〜ｔ２のグルーブ信号が、＋方向の振幅オフセットの設定がなされたグルーブ信号である場合の例である。これは、図７（２ａ）を参照して説明した例に対応する。
【０１３１】
この場合、差分信号Ｃ＝Ｉ（ｔ）は、＋方向一方に偏りを持って発生する。この結果、信号区間ｔ１〜ｔ２における差分信号Ｃ＝Ｉ（ｔ）の積分結果、
Ｖｎ＝ΣＩ（ｔ）
は、予め設定された閾値Ｔｈ１以上の値となる。
すなわち、これは、
ΣＩ（ｔ）≧Ｔｈ１→＋方向振幅オフセットあり＝ビット値［１］
このように、上記式に従って、＋方向振幅オフセットあり＝ビット値［１］との判定がなされる。
【０１３２】
図１２（２ｂ）は、信号区間ｔ１〜ｔ２のグルーブ信号が、−方向の振幅オフセットの設定がなされたグルーブ信号である場合の例である。これは、図７（２ｂ）を参照して説明した例に対応する。
【０１３３】
この場合、差分信号Ｃ＝Ｉ（ｔ）は、−方向一方に偏りを持って発生する。この結果、信号区間ｔ１〜ｔ２における差分信号Ｃ＝Ｉ（ｔ）の積分結果、
Ｖｎ＝ΣＩ（ｔ）
は、予め設定された閾値Ｔｈ２以下の値となる。
すなわち、これは、
ΣＩ（ｔ）≦Ｔｈ２→−方向振幅オフセットあり＝ビット値［０］
このように、上記式に従って、−方向振幅オフセットあり＝ビット値［０］との判定がなされる。
【０１３４】
このように、差分信号Ｃ＝Ｉ（ｔ）の積分結果（Ｖｎ＝ΣＩ（ｔ））と閾値との比較によって、３パターンのグルーブ信号の各々について判別することができる。すなわち、
Ｔｈ１＞ΣＩ（ｔ）＞Ｔｈ２→振幅オフセットなし
ΣＩ（ｔ）≧Ｔｈ１→＋方向振幅オフセットあり＝ビット値［１］
ΣＩ（ｔ）≦Ｔｈ２→−方向振幅オフセットあり＝ビット値［０］
上記判定式に従って、振幅オフセットの有無および方向の判定が可能となる。
【０１３５】
［３．情報記録装置の構成と処理について］
グルーブ信号に重畳された付加情報が例えば暗号鍵である場合、ユーザの情報記録再生装置は、装着したディスクに記録されたグルーブ信号を読み取り、暗号鍵を取得することができる。さらに、取得した暗号鍵を適用して、たとえばサーバから取得したコンテンツの暗号化処理を実行して、ディスクに記録することができる。
【０１３６】
あるいはサーバがディスクに記録されたと同一の暗号鍵を適用した暗号化コンテンツをユーザ装置に提供し、ユーザ装置側でディスクに対する暗号化コンテンツの記録を実行して、その後の再生処理において、ディスクのグルーブ信号から取得した暗号鍵を適用した復号、再生処理を行うことも可能である。
【０１３７】
このように暗号鍵をグルーブ信号に重畳させて記録したディスクに暗号化コンテンツの記録処理を行う情報記録装置の構成と処理例について、図１３を参照して説明する。
【０１３８】
図１３は、前述したディスク１５０、すなわち、グルーブ信号に付加情報として暗号鍵が記録されたディスク１５０を装着し、ディスク１５０に対して暗号化コンテンツの記録処理を実行するユーザ装置としての情報記録装置３００の構成例を示すブロック図である。
【０１３９】
情報記録装置３００は、図１３に示すように、記録再生部３０１、信号解析部３０２、暗号処理部３０４、通信部３０５を有する。
記録再生部３０１はディスク１５０からのグルーブ信号、記録コンテンツの読み取り、さらにコンテンツの記録処理を実行する。
【０１４０】
信号解析部３０２は、先に、図５、図６を参照して説明した情報再生装置２００の信号解析部２０２と同様の構成を有し、同様の処理を実行する。すなわち、記録再生部３０１から入力するグルーブ信号の復調処理および解析を実行して、振幅オフセットの検出を行い、検出した振幅オフセットに基づいてグルーブ信号中に記録された付加情報の構成ビット値を検出する。
【０１４１】
信号解析部３０２において検出された付加情報の構成ビット情報により付加情報１２０を得る。例えば付加情報１２０は暗号鍵であり、ディスク１５０に記録するコンテンツの暗号化処理に適用される。また、ディスク１５０に記録された暗号化コンテンツの復号処理に適用される。
【０１４２】
さらに、信号解析部３０２において復調された結果からは、グルーブ信号に含まれるその他の付加情報であるアドレス情報１２５が得られる。アドレス情報１２５は、ディスク１５０に対するデータ記録や再生処理において利用される。
【０１４３】
情報記録装置３００は、通信部３０５を介してコンテンツサーバ４００と通信を実行し、コンテンツサーバ４００からコンテンツを取得する。取得コンテンツは、暗号化コンテンツ、あるいは暗号化処理が施されていない平文コンテンツのいずれかである。
【０１４４】
暗号化コンテンツである場合、その暗号化コンテンツは、ディスク１５０のグルーブ信号から読み取られる暗号鍵によって復号可能な暗号化コンテンツである。このような暗号化コンテンツをサーバから受信した場合、受信した暗号化コンテンツは、記録再生部３０１を介してディスク１５０に記録される。
【０１４５】
また、コンテンツサーバ４００から暗号化処理が施されていない平文コンテンツを受信した場合は、ディスク１５０のグルーブ信号から読み取った付加情報１２０としての暗号鍵を適用して、暗号処理部３０４において暗号化処理が実行される。この結果、生成された暗号化コンテンツが記録再生部３０１を介してディスク１５０に記録される。
【０１４６】
ディスク１５０に記録された暗号化コンテンツを再生する場合は、ディスク１５０から暗号化コンテンツを読み取るとともに、グルーブ信号から暗号鍵を読み取り、読み取った暗号鍵を適用して暗号化コンテンツを復号して再生処理を行う。この処理は、先に、図５を参照して説明した情報再生装置２００の処理と同様の処理である。
【０１４７】
なお、図１３に示す構成では、ディスクに記録するコンテンツは通信部３０５を介してコンテンツサーバ４００から取得する構成としたが、コンテンツの取得元はサーバに限らず、放送や、他の情報処理装置、他のメディアなど様々な設定が可能である。これらの取得元に応じたコンテンツ入力部としてのインタフェースを介して入力したコンテンツをディスクに暗号化コンテンツとして記録することができる。
【０１４８】
図１３に示す情報記録装置３００においてディスクに対する暗号化コンテンツの記録を行うと、暗号化コンテンツとその復号に適用する暗号鍵は１つのディスクにまとまって格納されることになる。従って、例えば暗号化コンテンツを他のメディアに出力してコピーしても、暗号鍵が利用できないことになり、コンテンツの不正利用を効果的に防止することができる。
【０１４９】
［４．その他の実施例について］
グルーブ信号に対する付加情報の重畳記録におけるビット値に応じた振幅オフセット設定態様については、先に図４を参照して説明した構成の他、様々な設定が可能である。
【０１５０】
図４を参照して説明した例は、
ビット＝１の場合に、＋方向の振幅オフセットを設定したグルーブ信号、
ビット＝０の場合に、−方向の振幅オフセットを設定したグルーブ信号、
このような設定でグルーブ信号を記録し、これらの振幅オフセットに基づいてビット値判別を行う例である。
【０１５１】
ビット値と振幅オフセットとの対応関係は、様々な設定が可能であり、上述の逆の設定や、ビット値と、複数の振幅オフセットパターンとを対応付ける設定なども可能である。図１４にその一例を示す。
【０１５２】
図１４は先に説明した図４と同様、グルーブ信号の記録処理と再生処理例について示した図である。図１４の例は、
ビット＝１の場合に、先行する＋方向振幅オフセット設定グルーブ信号と後続の−方向振幅オフセット設定グルーブ信号の組み合わせ、
ビット＝０の場合に、先行する−方向振幅オフセット設定グルーブ信号と後続の＋方向振幅オフセット設定グルーブ信号の組み合わせ、
このような２種類のオフセット設定グルーブ信号の組み合わせでグルーブ信号を記録した例である。
【０１５３】
図１４に示す例は以下のような設定例を示している。
ｔ１〜ｔ２：＋方向振幅オフセット設定グルーブ信号
ｔ２〜ｔ３：−方向振幅オフセット設定グルーブ信号
このｔ１〜ｔ３区間のグルーブ信号によって、ビット値＝１を示している。
ｔ３〜ｔ４：−方向振幅オフセット設定グルーブ信号
ｔ４〜ｔ５：＋方向振幅オフセット設定グルーブ信号
このｔ３〜ｔ５区間のグルーブ信号によって、ビット値＝０を示している。
【０１５４】
図１４上段に示すように、グルーブ信号の記録処理に際しては、付加情報の構成ビットがビット値＝１の場合と０の場合において、上記設定に従ったオフセットを持つグルーブ信号を生成して記録する。
【０１５５】
再生処理に際しては、再生装置は、グルーブ信号の読み取りを所定のサンプリングタイム（Ｔ）間隔で実行し、図１４下段に示すように、ｔ１〜ｔ２、ｔ２〜ｔ３などの一定区間単位で、各サンプリングタイムにおいて読み取られた再生信号［Ｒ１］から、オフセット設定なしのオリジナル信号［Ｒ０］を推定する。
次に、再生信号［Ｒ１］と、推定したオリジナル信号［Ｒ０］との差分信号Ｃ、すなわち、
Ｃ＝Ｒ１−Ｒ０を算出する。
さらに、算出した差分信号Ｃの値を一定区間（例えばｔ１〜ｔ２）単位で蓄積（積分）する。この蓄積結果が＋方向あるいは−方向のいずれに所定閾値以上ずれているか否かを判定し、各区間単位でオフセット方向の判別を実行する。
さらに、複数の既定区間（ｔ１〜ｔ２とｔ２〜ｔ３など）のオフセット方向の判別結果に基づい手付加情報のビット値を判定する。。
【０１５６】
例えば、再生装置は以下のような処理を行う。
ｔ１〜ｔ２：読み取りグルーブ信号である再生信号Ｒ１からオフセット設定なしのオリジナル信号［Ｒ０］を推定し、これらの差分信号Ｃ＝Ｒ１−Ｒ０を算出する。算出した差分信号Ｃを蓄積（積分）し、＋方向の振幅オフセットが設定された区間であると判断する。
ｔ２〜ｔ３：読み取りグルーブ信号である再生信号Ｒ１からオフセット設定なしのオリジナル信号［Ｒ０］を推定し、これらの差分信号Ｃ＝Ｒ１−Ｒ０を算出する。算出した差分信号Ｃを蓄積（積分）し、−方向の振幅オフセットが設定された区間であると判断する。
このｔ１〜ｔ３区間において、先行する＋方向振幅オフセット設定グルーブ信号と後続の−方向振幅オフセット設定グルーブ信号の組み合わせが検出されたことに基づいて、ビット値［１］と判定する。
【０１５７】
次に、
ｔ３〜ｔ４：読み取りグルーブ信号である再生信号Ｒ１からオフセット設定なしのオリジナル信号［Ｒ０］を推定し、これらの差分信号Ｃ＝Ｒ１−Ｒ０を算出する。算出した差分信号Ｃを蓄積（積分）し、−方向の振幅オフセットが設定された区間であると判断し、ビット値＝［１］と判定する。
ｔ４〜ｔ５：読み取りグルーブ信号である再生信号Ｒ１からオフセット設定なしのオリジナル信号［Ｒ０］を推定し、これらの差分信号Ｃ＝Ｒ１−Ｒ０を算出する。算出した差分信号Ｃを蓄積（積分）し、＋方向の振幅オフセットが設定された区間であると判断し、ビット値＝［１］と判定する。
このｔ３〜ｔ５区間において、先行する−方向振幅オフセット設定グルーブ信号と後続の＋方向振幅オフセット設定グルーブ信号の組み合わせが検出されたことに基づいて、ビット値［０］と判定する。
【０１５８】
このような処理を実行することで、例えば６４ビットや１２８ビットの鍵を構成するビット値をすべて正確に取得することができる。
【０１５９】
なお、振幅オフセット設定方向が、［＋］［−］［＋］［−］［＋］［−］といったように設定されると先行と後続するグルーブ信号区間を判別することができなくなる可能性が発生するが、例えば、振幅オフセットを設定しない信号区間を利用することで、この問題は解決できる。例えば振幅オフセットを設定しない区間を［０］として、以下のような設定のグルーブ信号を記録する。
［＋］［−］［０］［＋］［−］［０］［＋］［−］［０］［−］［＋］
このような信号を記録し［０］を区切り信号として利用する。
【０１６０】
この設定により、再生時に、［＋］，［−］のペアのいずれが先行するグルーブ信号であるかを判別することが可能となり、上記信号の場合、
１１１０・・・・
上記ビット列であることの判別処理が可能となる。
【０１６１】
なお、図１４に示す例は、＋−の２つの異なる振幅オフセット設定グルーブ信号の配列でビット値（０，１）を識別する構成として説明したが、さらに、
［＋］［＋］［−］をビット値＝１、
［−］［−］［＋］をビット値＝０、
とする設定など、多様な設定が可能である。
【０１６２】
さらに、その他の構成として、各信号区間（例えば図４に示すｔ１〜ｔ２，ｔ２〜ｔ３など）ごとに値（＋１と−１）を切り換えるクロック信号（ＲＴ：Ｒｅｆｅｒｎｃｅ  Ｔｉｍｉｎｇ  Ｓｉｇｎａｌ）を適用し、クロック信号ＲＴと前述の差分信号Ｃとの乗算処理を、
Ｃ×ＲＴ
上記式によって算出し、さらに、
Ｉ（ｔ）＝Ｃ×ＲＴ
上記式による算出値を各信号区間で積分して、所定の閾値と比較してオフセット方向を判別する構成としてもよい。
【０１６３】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１６４】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１６５】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１６６】
以上、説明したように、本発明の一実施例の構成によれば、読み取り困難性と高精度な読み取りの双方を実現する情報の記録処理構成が実現される。例えば暗号鍵などの秘匿性の高い付加情報をグルーブ信号中に記録する。付加情報の記録に際してビット値に応じた振幅オフセットを設定したグルーブ信号を記録し、付加情報の読み取り時には、所定区間のグルーブ信号の読み取り信号Ｒ１からオフセットなし信号Ｒ０を推定し、差分信号Ｃ＝Ｒ１−Ｒ０を算出して差分信号を所定区間ごとに積分して、各区間内のグルーブ信号の振幅オフセット方向を判別する。このような処理により読み取り困難性を高めるとともに、精度の高い読み取りを実現する付加情報の記録再生を実現した。
【符号の説明】
【０１６７】
１００  記録媒体製造装置
１０２  記録信号生成部
１０３  記録部
１２０  付加情報
１２２  変調信号生成部
１２３  振幅オフセット設定部
１２５  アドレス情報
１３０  マスタディスク
１５０  ディスク
２０１  再生部
２０２  信号解析部
２０４  復号処理部
２２１  復調部
２２２  振幅オフセット検出部
２２３  ビット値判定部
３０１  記録再生部
３０２  信号解析部
３０４  暗号処理部
【図１】
2011060348.tif 000003
【図２】
2011060348.tif 000004
【図３】
2011060348.tif 000005
【図４】
2011060348.tif 000006
【図５】
2011060348.tif 000007
【図６】
2011060348.tif 000008
【図７】
2011060348.tif 000009
【図８】
2011060348.tif 000010
【図９】
2011060348.tif 000011
【図１０】
2011060348.tif 000012
【図１１】
2011060348.tif 000013
【図１２】
2011060348.tif 000014
【図１３】
2011060348.tif 000015
【図１４】
2011060348.tif 000016